(57)【特許請求の範囲】
【請求項１】
記録担体に情報を記録する記録部と液晶表示装置等からなるモニタ部とを一体化して箱体状に形成したモニタ・記録部と、前記モニタ・記録部の側部に第１の回動機構を介して回動自在に取り付けられたカメラ部とを備えたモニタ付きカメラ一体型記録装置において、
前記カメラ部に備えられるレンズ部は、前記カメラ部の内面側部に、前記第１の回動機構の回転軸と平行な回転軸をもつ第２の回動機構を介して回動自在に取り付けられ、光軸方向が前記第２の回動機構の回転軸と垂直な方向に配置され、前記レンズ部は、前記カメラ部に収納されてレンズ面を保護される収納状態と、レンズ面を被写体に向けた撮影状態とをとり得る構造とされ、
前記収納状態から前記レンズ部が前記カメラ部に対して所定量回動した際には、この前記レンズ部の回動に連動して移動するグリップ部を備え、このグリップ部は、前記レンズ部が前記収納状態にある際には前記カメラ部内に隠された収納位置をとると共に、前記収納状態から前記レンズ部が前記カメラ部に対して所定量回動した際には、この前記レンズ部の回動により前記カメラ部と前記レンズ部との間に形成される開口部に移動して、指受け把持位置をとることを特徴とするモニタ付きカメラ一体型記録装置。
【請求項２】
請求項１に記載のモニタ付きカメラ一体型記録装置において、
前記レンズ部の前面側にマイクロホンを配置し、前記レンズ部の後面側にスピーカを配置したことを特徴とするモニタ付きカメラ一体型記録装置。
【請求項３】
請求項１または２に記載のモニタ付きカメラ一体型記録装置において、
前記レンズ部が前記収納状態にある際は前記レンズ部の回動をロックするロック手段と、前記カメラ部と前記モニタ・記録部間との相対回動に連動して前記ロック手段のロックを解除するロック解除手段と、前記ロック手段のロックが解除された際に前記レンズ部を前記カメラ部に対して所定量回動させる手段とを備え、
前記レンズ部が前記収納状態にある際における前記カメラ部と前記モニタ・記録部との相対回動により、前記レンズ部を前記収納状態から自動的に所定量回動させるようにしたことを特徴とするモニタ付きカメラ一体型記録装置。
【請求項４】
請求項１ないし請求項３のいずれか１項に記載のモニタ付きカメラ一体型記録装置おいて、
前記第２の回動機構を少なくとも９０度以上回動自在に設けたことを特徴とするモニタ付きカメラ一体型記録装置。
【発明の詳細な説明】
【０００１】
【発明の属する技術分野】
本発明は、液晶画面等のモニタ画面を有するビデオテープレコーダや電子カメラ等のモニタ付きカメラ一体型記録装置に係わり、特に、カメラ部に設けられるレンズ部を、非撮影時はカメラ部内に収納可能に設けたモニタ付きカメラ一体型記録装置に関する。
【０００２】
【従来の技術】
従来のカメラ一体型ＶＴＲの一例を図１０および図１１に示す。
【０００３】
図１０（ａ）は非撮影時における背面側から見たカメラ一体型ＶＴＲの斜視図、図１０（ｂ）は通常撮影時における背面側から見たカメラ一体型ＶＴＲの斜視図である。
図１０において、１０１は図示していないテープカセットが装脱着可能に設けられるとともに液晶表示パネルを備えるカメラ一体型ＶＴＲのモニタ・ＶＴＲ部、１０２はモニタ・ＶＴＲ部１０１に対して回動自在に設けられるカメラ部、１０３は液晶表示パネル、１０４はマイクロホンである。
【０００４】
このカメラ一体型ＶＴＲでは、通常の撮影時は、図１０（ｂ）に示すように、撮影者は、カメラ部１０２を回動させて、カメラ部１０２の正面側に設けられている対物レンズを被写体の方向に向け、液晶表示パネル１０３でその撮影内容をモニタしながら撮影する。また、撮影しない時、即ち、再生時や収納時は、図１０（ａ）に示すように、カメラ部１０２を回動させて、対物レンズを下側に向け、内蔵されている撮像素子に外光等が入射しないようにし、また、対物レンズに埃などが付着しにくいようにしている。
【０００５】
図１１は、背面側から見たカメラ一体型ＶＴＲの斜視図である。
【０００６】
同図において、２０１は図示していないテープカセットが装脱着可能に設けられるとともに液晶表示パネルを備えるカメラ一体型ＶＴＲのモニタ・ＶＴＲ部、２０２はモニタ・ＶＴＲ部２０１に対して回動自在に設けられるカメラ部、２０３は液晶表示パネル、２０４はバッテリー、２０５はＶＴＲ操作パネル、２０６は液晶コントロールボタン、２０７はリモートコントロール信号受光部、２０８はカメラ操作ボタン、２０９はズームボタンである。
【０００７】
図１１に示す状態は、このカメラ一体型ＶＴＲの非使用状態の収納姿勢を示しており、カメラ部２０２はモニタ・ＶＴＲ部２０１と平行に重なり合っている。また、カメラ部２０２に設けられている図示していないレンズ面は液晶表示パネル２０３とは反対側にあり、かつ液晶表示パネル２０３と平行になっている。撮影時は、モニタ・ＶＴＲ部２０１とカメラ部２０２とを相対回動し、カメラアングルやモニタ画面アングルを自由に設定しながら、液晶表示パネル２０３に写し出された被写体の状況をモニタしながら撮影を行う。なお、カメラ部２０２のレンズ面が液晶表示パネル２０３と同方向にある自己撮影状態においては、液晶表示パネル２０３に表示される被写体が鏡像となるように、撮影画像を上下、左右方向に反転処理する。
【０００８】
【発明が解決しようとする課題】
ところで、上記の各従来技術のものは、非撮影時には、レンズ部が外部に露出することになり、レンズ部を保護しようとすると、そのための蓋体等を必要とする。また、後者の従来技術では、カメラ部のレンズ部を光軸方向に長くすることができないため、短焦点ないしは２、３倍程度のズーム機能しか持たせることができない。また、レンズ部を光軸方向に長くするとレンズ部が突出することになり、カメラ一体型ＶＴＲ全体をコンパクトな箱体に構成できない等の間題がある。
【０００９】
本発明の目的は、上記の種々の間題点に鑑みて、非撮影時には、簡単な操作・構成でレンズ部を保護するとともに、撮影時には、簡便な操作でカメラ部からレンズ部を撮影可能状態にすることのできるモニタ付きカメラ一体型記録装置を提供することにある。
【００１０】
【課題を解決するための手段】
上記の課題を解決するため、本願によるモニタ付きカメラ一体型記録装置の代表的な１つの発明では、記録担体に情報を記録する記録部と液晶表示装置等からなるモニタ部とを一体化して箱体状に形成したモニタ・記録部と、前記モニタ・記録部の側部に第１の回動機構を介して回動自在に取り付けられたカメラ部とを備え、
前記カメラ部に備えられるレンズ部は、前記カメラ部の内面側部に、前記第１の回動機構の回転軸と平行な回転軸をもつ第２の回動機構を介して回動自在に取り付けられ、光軸方向が前記第２の回動機構の回転軸と垂直な方向に配置され、前記レンズ部は、前記カメラ部に収納されてレンズ面を保護される収納状態と、レンズ面を被写体に向けた撮影状態とをとり得る構造とされ、
前記収納状態から前記レンズ部が前記カメラ部に対して所定量回動した際には、この前記レンズ部の回動に連動して移動するグリップ部を備え、このグリップ部は、前記レンズ部が前記収納状態にある際には前記カメラ部内に隠された収納位置をとると共に、前記収納状態から前記レンズ部が前記カメラ部に対して所定量回動した際には、この前記レンズ部の回動により前記カメラ部と前記レンズ部との間に形成される開口部に移動して、指受け把持位置をとるようにした、構成をとる。
【００１７】
【発明の実施の形態】
本発明の第１の実施形態を図１から図４を用いて説明する。
【００１８】
図１および図２は、本実施形態に係るモニタ付きカメラ一体型記録装置の背面側から見た斜視図であり、図１はモニタ付きカメラ一体型記録装置の非撮影時の状態を示し、図２はこの装置の撮影時の状態を示す。
【００１９】
図１および図２において、１は図示していないテープカセットなどの記録担体を装脱着可能に設けた記録部と図示していない液晶表示パネルからなるモニタ部とを一体化して構成したモニタ・記録部、２はモニタ・記録部１の横側部に設けられる回動機構部において回動自在に取付けられるとともに、閉じられた底面を有するカメラ部、３はカメラ部２の内面横側部に設けられる回動機構部において回動自在に取付けられたレンズ部、４はモニタ・記録部１の横側部に設けられる回動機構部、５はカメラ部２の横側部に設けられる回動機構部、６は押圧することによりカメラ部２とレンズ部３とのロック状態を解除するロック解除つまみ、７はカメラ部２に設けられる係合部材と係合するレンズ部３に設けられる係合溝である。
【００２０】
図３は、図１および図２において、カメラ部２に設けられる係合部材である板バネ８がレンズ部３の係合溝７と係合しているロック状態を示す図である。
【００２１】
図４は、図１および図２に示すカメラ部２とレンズ部３の詳細な構成を示す側面断面図であり、図４（ａ）はレンズ部３がカメラ部２に収納された非撮影時の状態を示し、図４（ｂ）はレンズ部３がカメラ部２から取り出された撮影時の状態を示している。
【００２２】
図４において、９はレンズ部３におけるレンズ体、１０はレンズ部３の後面側に設けられるスピーカ、１１はレンズ部３の前面レンズ面３ａ側に設けられるマイクロホンである。その他の構成は図１および図２に示す同符号の構成と同じである。
【００２３】
次に、このモニタ付きカメラ一体型記録装置の非撮影時および撮影時の状態について説明する。
【００２４】
非撮影時は、図１および図４（ａ）に示すように、レンズ部３はカメラ部２内に収納されており、この状態では、マイクロホン１１もカメラ部３内に収納される。それとは反対に、スピーカ１０は再生時には都合が良いようにモニタ付きカメラ一体型記録装置の上面側に位置する。
【００２５】
撮影時は、図２および図４（ｂ）に示すように、ロック操作つまみ６を操作することにより、カメラ部２の板バネ８とレンズ部３の係合溝７の図３に示すようなロック状態が解除され、レンズ部３がカメラ部２に対して回動可能状態になる。次いで、レンズ部３を収納状態から撮影に都合のよい所定角度、例えば、レンズ面３ａが、液晶表示パネルと反対方向に向くように９０度回動して撮影可能状態にする。この状態では、マイクロホン１１もレンズ面３ａと同様に前方に突出した状態となり、録音に都合の良い位置に位置することになる。撮影は、カメラ部２をモニタ・記録部１に対して任意の角度まで回動して、液晶表示パネルに写し出される被写体をモニタしながら撮影する。
【００２６】
上記のごとく、本実施形態によれば、非撮影時は、例えば、再生時や収納時は、レンズ部３はカメラ部２に収納されるので、レンズ部３のレンズ面３ａはカメラ部２の底面側に収納されて外部に露出することがなく、レンズ面３ａの保護を図ることができる。また、収納時は、レンズ部３が光軸の長い長焦点のものであっても、縦長に構成されるカメラ部２内に容易に収納することができる。さらにまた、収納時は、装置全体をコンパクトな外形とすることができ、収納性に優れた装置を実現することができる。また、撮影時は、カメラ部２に収納されていたレンズ部３を任意の角度まで回動させて被写体側に向けることにより、長焦点を必要とする被写体にも容易に対応することができる。
【００２７】
次に、本発明の第２の実施形態を図５を用いて説明する。
【００２８】
図５は、本実施形態に係るモニタ付きカメラ一体型記録装置のカメラ部２とレンズ部３の構成を示す側面断面図であり、図５（ａ）はレンズ部３がカメラ部２に収納された非撮影時の状態を示し、図５（ｂ）はレンズ部３がカメラ部２から取り出された撮影時の状態を示している。
【００２９】
図５において、１２は、撮影時に、レンズ部３がカメラ部２に対して回動した際に、カメラ部２の前方下部に形成される開口部に位置するように配置される指受け把持部となるグリップ部、１３はグリップ部１２を常時前記開口部まで回動するように付勢するグリップバネ部材、１４は撮影時の状態においてグリップ部１２が外部から押圧された際に開口部内部に回動しないようグリップ部１２を係止するグリップ押えである。なお、その他の構成は図４に示す同符号の構成と同じである。
【００３０】
次に、このモニタ付きカメラ一体型記録装置の非撮影時および撮影時の状態について説明すると、非撮影時は、図５（ａ）に示すように、レンズ部３はカメラ部２内に収納され、それとともに、グリップ部１２はレンズ部３の押圧力によりグリップバネ部材１３の付勢力に抗して回動され、カメラ部２内に押し下げられた状態で収納される。また、撮影時は、カメラ部２に収納されていたレンズ部３を所定角度、例えば、レンズ面３ａが、液晶表示パネルと反対方向へ向くように９０度回動させて被写体側に向けると、グリップ部１２は、グリップバネ部材１３の付勢力によって回動し、撮影に都合のよい指受け把持位置まで露出する。ここで、グリップ部１２はレンズ部３の回動とともに回動するグリップ押え１４によって係止され固定される。
【００３１】
このように、本実施形態によれば、第１の実施形態に加えて、撮影時にレンズ部３がカメラ部２に対して回動した際に、カメラ部２前面に形成される開口部に指受け把持部となるグリップ部１２が配置されるので、撮影時の使い勝手を向上させ、撮影姿勢の安定化に寄与することができる。
【００３２】
次に、本発明の第３の実施形態を図６を用いて説明する。
【００３３】
図６は、本実施形態に係るモニタ付きカメラ一体型記録装置のカメラ部２とレンズ部３の構成を示す側面断面図であり、図６（ａ）はレンズ部３がカメラ部２に収納された非撮影時の状態を示し、図６（ｂ）はレンズ部３がカメラ部２から取り出された撮影時の状態を示し、図６（ｃ）はカメラ部２の係合溝とレンズ部３に設けられている板バネとの係合をモニタ・記録部１の回動に伴って前記係合を解除する状態を示す図である。
【００３４】
図６において、１５はカメラ部２に設けられる係合溝、１６は回動機構部４のカメラ部２側に設けられ、モニタ・記録部１に対するカメラ部２の回動に伴って回動するロック解除作動部材、１７は一端１８がカメラ部２に係止され、他端１９がレンズ部３に係止されるバネ体からなるレンズ部回転用部材、２０はレンズ部３に設けられる係合溝１５と係合可能に設けられた板バネである。その他の構成は図４に示す同符号の構成と同じである。
【００３５】
次に、このモニタ付きカメラ一体型記録装置の非撮影時および撮影時の状態について説明すると、非撮影時は、図６（ａ）に示すように、レンズ部３はカメラ部２に収納され、この状態では、板バネ２０は係合溝１５に係合しているので、レンズ部回転用部材１７により付勢力が付勢されていてもカメラ部２とレンズ部３間のロック状態は維持される。撮影時は、カメラ部２をモニタ・記録部１に対して所定角度回動させると、図６（ｃ）に示すように、ロック解除作動部材１６も回動して板バネ２０と係合溝１５との係合が解除され、カメラ部２とレンズ部３間が回動可能状態になる。この状態になると、ロック解除作動部材１７の付勢力により、カメラ部２に対してレンズ部３が回動し、レンズ部３は自動的に所定角度、例えば、レンズ面３ａが、液晶表示パネルと反対方向に９０度回動されて、収納状態から撮影可能状態となる。
【００３６】
このように、本実施形態によれば、第１の実施形態に加えて、撮影時は、モニタ・記録部１に対してカメラ部２を所定角度傾斜させるだけで、レンズ部３をカメラ部２内の収納状態から撮影可能状態に回動させることができるので、手動によってレンズ部３を回動させる煩わしさを無くすることができ、装置の操作性を向上させることができる。
【００３７】
次に、本発明の第４の実施形態を図７を用いて説明する。
【００３８】
図７は、本実施形態に係るモニタ付きカメラ一体型記録装置のカメラ部２とレンズ部３の構成を示す側面断面図であり、図７（ａ）はレンズ部３がカメラ部２に収納された非撮影時の状態を示す図、図７（ｂ）はレンズ部３がカメラ部２から取り出された撮影時の状態を示す図である。
【００３９】
図７において、２１は回動機構部４と回動機構部５間に設けられ、回動機構部４の回動に連動して、回動機構部５を回動させる回転軸連結部材である。その他の構成は図４に示す同符号の構成と同じである。
【００４０】
次に、このモニタ付きカメラ一体型記録装置の非撮影時および撮影時の状態について説明すると、非撮影時は、図７（ａ）に示すように、レンズ部３はカメラ部２に収納されている。撮影時は、図７（ｂ）に示すように、カメラ部２をモニタ・記録部１に対して回動させると、回動機構部４が回動し、これと連動する回転軸連結部材２１を介して回動機構部５も回動する。
【００４１】
このように、本実施形態によれば、第１の実施形態に加えて、撮影時は、モニタ・記録部１に対してカメラ部２を傾斜させるだけで、レンズ部３をカメラ部２内での収納状態から所定角度回動した突出した状態に回動させることができる。その後は手動によってレンズ部３を容易に引き出して撮影可能状態に回動することができる。そのため、レンズ部３を収納状態から撮影可能状態までの全てを手動で行う場合に比べて、レンズ部３を取り出す煩わしさを無くすることができ、装置の操作性を向上させることができる。
【００４２】
次に、本発明の第５の実施形態を図８を用いて説明する。
【００４３】
図８は本実施形態に係るモニタ付きカメラ一体型記録装置を示し、図８（ａ）はカメラ部右手把持時の通常撮影状態におけるモニタ付きカメラ一体型記録装置の斜視図、図８（ｂ）はカメラ部右手把持時の自己撮影状態におけるモニタ付きカメラ一体型記録装置の斜視図、図８（ｃ）はカメラ部左手把持時の通常撮影状態におけるモニタ付きカメラ一体型記録装置の斜視図、図８（ｄ）はカメラ部左手把持時の自己撮影状態におけるモニタ付きカメラ一体型記録装置の斜視図である。
【００４４】
図８において、２２はモニタ・記録部１とカメラ部２間が所定角度以上回動したときＯＮする回転スイッチＡ、２３はカメラ部２とレンズ部３間が所定角度以上回動したときＯＮする回転スイッチＢ、２４は被写体像のモニタに使用される液晶表示パネルである。その他の構成は図１に示す同符号の構成と同じである。
【００４５】
本実施形態によれば、図８（ａ）〜図８（ｄ）に示すように、カメラ部２に対して、レンズ部３およびモニタ・記録部１がカメラ部２に対してそれぞれ３６０度回動可能に設けられる。従って、図８（ａ）に示すカメラ部２を右手で把持した時の通常撮影状態から、カメラ部２に対してレンズ部３を１８０度回動させると、図８（ｂ）に示すように、カメラ部２を右手で把持した時の対面撮影状態に移行することができる。また、図８（ｂ）の状態から、カメラ部２をモニタ・記録部１に対して１８０度回動させると、図８（ｃ）に示すように、カメラ部２を左手で把持した時の通常撮影状態に移行することができる。また、図８（ｃ）の状態から、カメラ部２に対してレンズ部３を１８０度回動させると、図８（ｄ）に示すように、カメラ部２を左手で把持した時の対面撮影状態に移行することができる。即ち、全ての使用者が利き手でカメラ部２を把持し、他方の手でモニタ・記録部１を把持した状態で、各種撮影を行うことができる。
【００４６】
なお、液晶表示パネル２４には、常に被写体の正立像が表示されなければならないが、本実施形態では、回転スイッチＡ２２および回転スイッチＢ２３から検出されるＯＮ、ＯＦＦ信号に基づいて表示画像の反転、非反転を判定することができる。
【００４７】
図９は、回転スイッチＡおよび回転スイッチＢによって検出されたＯＮ、ＯＦＦ信号の組み合わせによって表示画像の反転、非反転の判定結果を示す表である。
【００４８】
なお、表示画像の反転、非反転は、ＣＣＤ（固体撮像素子）、メモリ、液晶駆動回路等を制御して行うことができる。
【００４９】
【発明の効果】
本発明によれば、非撮影時はレンズ部はカメラ部に収納されるので、レンズ部は収納されて外部に露出することがなく、レンズ部を保護することができる。また、収納時は、レンズ部が光軸の長い長焦点のものであっても、縦長に構成されるカメラ部内に容易に収納することができ、また、装置全体をコンパクトな外形とすることができ、収納性に優れた装置を実現することができる。また、撮影時は、カメラ部に収納されていたレンズ部を回動させて被写体側に向けることにより、長焦点を必要とする被写体にも容易に対応することができる。
【００５０】
また、本発明によれば、撮影時にレンズ部がカメラ部に対して回動した際に、カメラ部前面に形成される開口部に指受け部が配置されるので、撮影姿勢の安定化に寄与することができる。
【００５１】
また、本発明によれば、撮影時は、モニタ・記録部をカメラ部に対して所定角度傾斜するだけで、レンズ部をカメラ部内の収納状態から所定角度回動ないしは撮影可能状態に回動させることができるので、手動によってレンズ部を取り出す煩わしさを無くすることができ、装置の操作性を向上させることができる。
【００５２】
また、本発明によれば、カメラ部の左手把持および右手把持での撮影に容易に対応することができ、使用者の利き手のいかんにかかわらず、使い勝手を向上させることができる。
【図面の簡単な説明】
【図１】本発明の第１の実施形態に係るモニタ付きカメラ一体型記録装置の背面側から見た斜視図である。
【図２】本発明の第１の実施形態に係るモニタ付きカメラ一体型記録装置の背面側から見た斜視図である。
【図３】図１および図２において、カメラ部２に設けられる板バネ８がレンズ部３の係合溝７に係合された状態を示す図である。
【図４】図１および図２に示すカメラ部２とレンズ部３の詳細な構成を示す側面断面図である。
【図５】本発明の第２の実施形態に係るモニタ付きカメラ一体型記録装置におけるカメラ部２とレンズ部３の構成を示す側面断面図である。
【図６】本発明の第３の実施形態に係るモニタ付きカメラ一体型記録装置におけるカメラ部２とレンズ部３の構成を示す側面断面図である。
【図７】本発明の第４の実施形態に係るモニタ付きカメラ一体型記録装置におけるカメラ部２とレンズ部３の構成を示す側面断面図である。
【図８】本発明の第５の実施形態に係るモニタ付きカメラ一体型記録装置の斜視図である。
【図９】図８に示される回転スイッチＡおよび回転スイッチＢによって検出されたＯＮ、ＯＦＦ信号の組み合わせによって画像の反転、非反転の判定結果を示す表である。
【図１０】従来技術に係るモニタ付きカメラ一体型ＶＴＲの背面側から見た斜視図である。
【図１１】従来技術に係るモニタ付きカメラ一体型ＶＴＲの背面側から見た斜視図である。
【符号の説明】
１  モニタ・記録部
２  カメラ部
３  レンズ部
４，５    回動機構部
６    ロック解除つまみ
７，１５    係合溝
８，２０  板バネ
９  レンズ体
１０  スピーカ
１１    マイクロホン
１２  グリップ部
１３    グリップバネ部材
１４    グリップ押え
１６  ロック解除作動部材
１７    レンズ部回転用部材
２１    回転軸連結部材
２２，２３    回転スイッチＡ、回転スイッチＢ
２４  液晶表示パネル
【図１】
0003587732.tif 000002
【図２】
0003587732.tif 000003
【図３】
0003587732.tif 000004
【図４】
0003587732.tif 000005
【図５】
0003587732.tif 000006
【図６】
0003587732.tif 000007
【図７】
0003587732.tif 000008
【図８】
0003587732.tif 000009
【図９】
0003587732.tif 000010
【図１０】
0003587732.tif 000011
【図１１】
0003587732.tif 000012